(57)【要約】【課題】第１媒体よりも幅狭の第２媒体がその向きを間違えて第２導入口に挿入されたときに、第２媒体の搬送を抑制できる、画像読取装置および搬送装置を提供する。【解決手段】カードがカード導入口１２１から導入されると、幅センサ５により、カードの左右方向の幅が検出される。そして、幅センサ５により、カードの向きが横向きであることが検出されると、カードがその向きを間違えてカード導入口１２１から導入されたと判断されて、カード排出ローラ４５の駆動が規制される。【選択図】図５
2014082619.tif 000002
【特許請求の範囲】
【請求項１】
第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口から導入される前記第２媒体が搬送されるように構成される第２搬送路と、が形成された筐体と、
前記第２導入口から導入された前記第２媒体を前記第２搬送路において第１方向に搬送するように構成される搬送ローラと、
前記第２導入口から導入された前記第２媒体の前記第１方向と直交する第２方向の幅を検出するように構成される幅センサと、
前記幅センサの検出結果に基づいて、前記搬送ローラの駆動を制御する制御部と、
前記第１搬送路を搬送される前記第１媒体及び前記第２搬送路を搬送される前記第２媒体の画像を読み取るように構成される読取部と、を備える、画像読取装置。
【請求項２】
第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口から導入される前記第２媒体が搬送されるように構成される第２搬送路と、が形成される筐体と、
前記第２導入口から導入された前記第２媒体を前記第２搬送路において第１方向に搬送するように構成される搬送ローラと、
外部に報知するように構成される報知部と、
前記第２導入口から導入された前記第２媒体の前記第１方向と直交する第２方向の幅を検出するように構成される幅センサと、
前記幅センサの検出結果に基づいて、前記報知部を制御する制御部と、
前記第１搬送路を搬送される前記第１媒体及び前記第２搬送路を搬送される前記第２媒体の画像を読み取るように構成される読取部と、を備える、画像読取装置。
【請求項３】
前記幅センサは、前記第２導入口における前記第２媒体の有無を検出するように構成される第１有無センサと第２有無センサとを備えており、
前記第１有無センサは、
前記第２導入口に対して前記第１方向および前記第２方向と直交する第３方向の一方側に配置され、センサ光を前記第３方向の他方側に向けて出力するように構成される第１投光部と、
前記第２導入口に対して前記第３方向の前記他方側に配置され、前記第１投光部からのセンサ光を受けて導光し、センサ光の光路を折り返してセンサ光を前記第３方向の前記一方側へ出力するように構成される第１導光部材と、
前記第２導入口に対して前記第３方向の前記一方側に配置され、前記第１導光部材により出力されたセンサ光を受光するように構成される第１受光部とを含む、請求項１または２に記載の画像読取装置。
【請求項４】
前記第２有無センサは、前記第２導入口に対して前記第３方向の前記一方側であって、前記第１有無センサに対して前記第２方向の一方側に配置され、前記第２導入口に突出するアクチュエータを有するマイクロスイッチである、請求項３に記載の画像読取装置。
【請求項５】
前記第２有無センサは、
前記第２導入口に対して前記第３方向の前記一方側であって、前記第１有無センサに対して前記第２方向の一方側に配置され、センサ光を前記第３方向の他方側に向けて出力するように構成される第２投光部と、
前記第２導入口に対して前記第３方向の前記他方側に配置され、前記第２投光部からのセンサ光を受けて導光し、センサ光の光路を折り返してセンサ光を前記第３方向の前記一方側へ出力するように構成される第２導光部材と、
前記第２導入口に対して前記第３方向の前記一方側であって、前記第１有無センサに対して前記第２方向の他方側に配置され、前記第２導光部材により出力されたセンサ光を受光するように構成される第２受光部とを含む、請求項３記載の画像読取装置。
【請求項６】
前記第２導入口に対して前記第３方向の前記一方側に配置された回動軸を支点に開位置と閉位置との間で回動可能に設けられ、前記第２方向に間隔を空けて配置され、前記閉位置においてそれぞれ前記第２導入口を前記第３方向に横切る一対の回動部を備える、請求項１〜５のいずれか一項に記載の画像読取装置。
【請求項７】
第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口から導入される前記第２媒体が搬送されるように構成される第２搬送路と、が形成された筐体と、
前記第２導入口から導入された前記第２媒体を前記第２搬送路において第１方向に搬送するように構成される搬送ローラと、
前記第２導入口から導入された前記第２媒体の前記第１方向と直交する第２方向の幅を検出するように構成される幅センサと、
前記幅センサの検出結果に基づいて、前記搬送ローラの駆動を制御する制御部と、を備える、搬送装置。
【請求項８】
第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口から導入される前記第２媒体が搬送されるように構成される第２搬送路と、が形成される筐体と、
前記第２導入口から導入された前記第２媒体を前記第２搬送路において第１方向に搬送するように構成される搬送ローラと、
外部に報知するように構成される報知部と、
前記第２導入口から導入された前記第２媒体の前記第１方向と直交する第２方向の幅を検出するように構成される幅センサと、
前記幅センサの検出結果に基づいて、前記報知部を制御する制御部と、を備える、搬送装置。
【発明の詳細な説明】
【技術分野】
【０００１】
本発明は、画像読取装置および搬送装置に関する。
【背景技術】
【０００２】
特許文献１に開示されている画像読取装置の筐体の背面側には、シートを導入するための導入口が形成されている。一方、筐体の前面側には、シートを排出するための排出口が形成されている。そして、筐体の内部には、導入口から排出口に至る搬送路が形成されている。搬送路には、画像読取ユニットが設けられている。また、画像読取ユニットの導入口側および排出口側には、それぞれ搬送ローラ対が設けられている。
【０００３】
導入口から導入されるシートは、搬送ローラ対により、搬送路を搬送される。このシートの搬送の途中で、画像読取ユニットにより、シートの画像が読み取られる。
【０００４】
また、特許文献１に開示されている画像読取装置は、シートよりも幅狭なカードに描かれている画像をも読み取ることができる。具体的には、排出口の一部は、カードを導入するカード導入口およびカードを排出するためのカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。このカードの搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
ところが、シートを排出する排出口の一部がカード導入口を兼ねている。シートはカードよりも幅広であるため、排出口はカード導入口以上の幅を備え得る。したがって、カードの長辺を先頭としたカードの向き（以後、「横向き」と記す）で、カードがカード導入口に挿入されるおそれがある。カードが横向きでカード導入口に挿入されると、カードの搬送が途中で阻害され、いわゆるジャムなどの搬送異常を生じてしまう可能性がある。
【０００８】
本発明の目的は、第１媒体よりも幅狭の第２媒体がその向きを間違えて第２導入口に挿入されたときに、第２媒体の搬送を抑制できる、画像読取装置および搬送装置を提供することである。
【課題を解決するための手段】
【０００９】
前記の目的を達成するため、本発明の一の局面に係る画像読取装置は、第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口に導入される前記第２媒体が搬送されるように構成される第２搬送路と、が形成された筐体と、前記第２導入口から導入された前記第２媒体を前記第２搬送路において第１方向に搬送するように構成される搬送ローラと、前記第２導入口から導入された前記第２媒体の前記第１方向と直交する第２方向の幅を検出するように構成される幅センサと、前記幅センサの検出結果に基づいて、前記搬送ローラの駆動を制御する制御部と、前記第１搬送路を搬送される前記第１媒体及び前記第２搬送路を搬送される前記第２媒体の画像を読み取るように構成される読取部と、を備える。
【００１０】
第２媒体が第２導入口から導入されると、幅センサにより、第２媒体の第１方向と直交する第２方向の幅が検出される。そして、その幅センサの検出結果に基づいて、制御部により、搬送ローラの駆動が制御される。
【００１１】
たとえば、第２導入口に挿入されるときの第２媒体の正しい向きが第２媒体の短辺を先頭とした向き（以後、「縦向き」と記す）である場合に、幅センサにより、第２媒体が横向きに挿入され、第２媒体の長辺の幅が検出されると、第２媒体がその向きを間違えて第２導入口から導入されたと判断される。そして、搬送ローラが第２媒体を第１方向に搬送する方向に駆動されることが規制される。
【００１２】
よって、第２媒体がその向きを間違えて第２導入口から導入されたときに、第２媒体の搬送を抑制することができる。
【００１３】
また、本発明の他の局面に係る画像読取装置は、第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口から導入される前記第２媒体が搬送されるように構成される第２搬送路と、が形成される筐体と、前記第２導入口から導入された前記第２媒体を前記第２搬送路において第１方向に搬送するように構成される搬送ローラと、外部に報知するように構成される報知部と、前記第２導入口から導入された前記第２媒体の前記第１方向と直交する第２方向の幅を検出するように構成される幅センサと、前記幅センサの検出結果に基づいて、前記報知部を制御する制御部と、前記第１搬送路を搬送される前記第１媒体及び前記第２搬送路を搬送される前記第２媒体の画像を読み取るように構成される読取部と、を備える。
【００１４】
第２媒体が第２導入口から導入されると、幅センサにより、第２媒体の第１方向と直交する第２方向の幅が検出される。そして、その幅センサの検出結果に基づいて、制御部により、報知部が制御される。
【００１５】
たとえば、第２導入口に挿入されるときの第２媒体の正しい向きが縦向きである場合に、幅センサにより、第２媒体が横向きに挿入され、第２媒体の長辺の幅が検出されると、第２媒体がその向きを間違えて第２導入口から導入されたと判断される。そして、報知部が制御されて、報知部による外部への報知が行われる。この報知により、使用者に、第２媒体がその向きを間違えて第２導入口から導入されたことを認識させることが出来得る。
【００１６】
よって、第２媒体がその向きを間違えて第２導入口から導入されたときに、第２媒体の搬送を抑制することができる。
【００１７】
幅センサは、第２導入口における第２媒体の有無を検出するように構成される第１有無センサおよび第２有無センサを備えていてもよい。
【００１８】
第１有無センサは、第２導入口に対して第１方向および第２方向と直交する第３方向の一方側に配置され、センサ光を第３方向の他方側に向けて出力するように構成される第１投光部と、第２導入口に対して第３方向の他方側に配置され、第１投光部からのセンサ光を受けて導光し、センサ光の光路を折り返してセンサ光を第３方向の一方側へ出力するように構成される第１導光部材と、第２導入口に対して第３方向の一方側に配置され、第１導光部材により出力されたセンサ光を受光するように構成される第１受光部とを含む構成であってもよい。
【００１９】
この構成によれば、第１投光部からのセンサ光は、第１導光部材を導光されて、第１受光部に受光される。第１投光部と第１導光部材との間の光路または第１導光部材と第１受光部との間の光路が第２媒体によって遮られると、その遮られた光路の位置に第２媒体が存在していると判断することができる。
【００２０】
第２有無センサは、第２導入口に対して第３方向の一方側であって、第１有無センサに対して第２方向の一方側に配置され、第２導入口に突出するアクチュエータを有するマイクロスイッチであってもよい。
【００２１】
第２媒体がアクチュエータに押されると、そのアクチュエータの位置に第２媒体が存在していると判断することができる。
【００２２】
また、第２有無センサは、第２導入口に対して第３方向の一方側であって、第１有無センサに対して第２方向の一方側に配置され、センサ光を第３方向の他方側に向けて出力するように構成される第２投光部と、第２導入口に対して第３方向の他方側に配置され、第２投光部からのセンサ光を受けて導光し、センサ光の光路を折り返してセンサ光を第３方向の一方側へ出力するように構成される第２導光部材と、第２導入口に対して第３方向の一方側であって、第１有無センサに対して第２方向の他方側に配置され、第２導光部材により出力されたセンサ光を受光するように構成される第２受光部とを含む構成であってもよい。
【００２３】
この構成によれば、第２投光部からのセンサ光は、第２導光部材を導光されて、第２受光部に受光される。第２投光部と第２導光部材との間の光路または第２導光部材と第２受光部との間の光路が第２媒体によって遮られると、その遮られた光路の位置に第２媒体が存在していると判断することができる。
【００２４】
画像読取装置は、第２導入口に対して第３方向の一方側に配置された回動軸を支点に開位置と閉位置との間で回動可能に設けられ、第２方向に間隔を空けて配置され、閉位置においてそれぞれ第２導入口を第３方向に横切る一対の回動部を備えていてもよい。
【００２５】
たとえば、第２導入口に挿入されるときの第２媒体の正しい向きが縦向きである場合に、一対の回動部の間隔が第２媒体の短辺以上かつ第２媒体の長辺よりも小さい間隔であれば、一対の回動部が閉位置に位置する状態で第２媒体が横向きで挿入されるようとすると、第２媒体の長辺が一対の回動部に当接し得る。そのため、第２媒体がその向きを間違えて第２導入口から導入されることを抑制できる。
【００２６】
本発明の他の局面に係る搬送装置は、第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口から導入される前記第２媒体が搬送されるように構成される第２搬送路と、が形成された筐体と、前記第２導入口から導入された前記第２媒体を前記第２搬送路において第１方向に搬送するように構成される搬送ローラと、前記第２導入口から導入された前記第２媒体の前記第１方向と直交する第２方向の幅を検出するように構成される幅センサと、前記幅センサの検出結果に基づいて、前記搬送ローラの駆動を制御する制御部と、を備える。
【００２７】
たとえば、第２導入口から導入されるときの第２媒体の正しい向きが縦向きである場合に、幅センサにより、第２媒体の長辺の幅が検出されると、第２媒体がその向きを間違えて第２導入口に挿入されたと判断される。そして、搬送ローラが第２媒体を第１方向に搬送する方向に駆動されることが規制される。
【００２８】
よって、第２媒体がその向きを間違えて第２導入口から導入されたときに、第２媒体の搬送を抑制することができる。
【００２９】
本発明のさらに他の局面に係る搬送装置は、第１媒体が導入されるように構成される第１導入口と、前記第１導入口から導入される第１媒体が搬送されるように構成される第１搬送路と、前記第１媒体よりも幅狭の第２媒体が導入されるように構成される第２導入口と、前記第１搬送路と少なくとも一部重複し、前記第２導入口から導入される前記第２媒体が搬送されるように構成される第２搬送路と、が形成される筐体と、前記第２導入口から導入された前記第２媒体を前記第２搬送路において第１方向に搬送するように構成される搬送ローラと、外部に報知するように構成される報知部と、前記第２導入口から導入された前記第２媒体の前記第１方向と直交する第２方向の幅を検出するように構成される幅センサと、前記幅センサの検出結果に基づいて、前記報知部を制御する制御部と、を備える。
【００３０】
たとえば、第２導入口から導入されるときの第２媒体の正しい向きが縦向きである場合に、幅センサにより、第２媒体の長辺の幅が検出されると、第２媒体がその向きを間違えて第２導入口に挿入されたと判断される。そして、報知部が制御されて、報知部による外部への報知が行われる。この報知により、使用者に、第２媒体がその向きを間違えて第２導入口に挿入されたことを認識させることが出来得る。
【００３１】
よって、第２媒体がその向きを間違えて第２導入口から導入されたときに、第２媒体の搬送を抑制することができる。
【発明の効果】
【００３２】
本発明によれば、第２媒体がその向きを間違えて第２導入口から導入されたときに、第２媒体の搬送を抑制することができる。
【図面の簡単な説明】
【００３３】
【図１Ａ】図１Ａは、本発明の一実施形態に係る画像読取装置１の左前上方から見た斜視図であり、カバー３が閉じられた状態を示す。
【図１Ｂ】図１Ｂは、画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバーが開かれるとともに、上部筐体がメンテナンス位置に配置された状態を示す。
【図４】図４は、画像読取装置１の断面図である。
【図５】図５は、画像読取装置１のカード導入口１２１の近傍の前面図である。
【図６】図６は、画像読取装置１の電気的構成の要部を示すブロック図である。
【図７】図７は、カードの取り込みを許可／規制するための処理の流れを示すフローチャートである。
【図８】図８は、本発明の第２実施形態に係る画像読取装置１の電気的構成の要部を示すブロック図である。
【図９】図９は、カードの向きを報知するための処理の流れを示すフローチャートである。
【図１０】図１０は、第２有無センサの他の構成を説明するための画像読取装置１のカード導入口１２１の近傍の前面図である。
【図１１】図１１は、シート排出口２０２とカード導入口１２１とが少なくとも一部において重複していることを概略的に示すための説明図である。
【図１２】図１２は、画像読取装置１のＣＩＳユニット６２、ＬＦローラ４２および排出ローラ４４の位置を概略的に示すための説明図である。
【図１３】図１３は、カードＣＡを横向きに挿入可能とするためのＣＩＳユニット６２、ＬＦローラ４２および排出ローラ４４の配置の一例を概略的に示す説明図である。
【図１４】図１４は、カードＣＡを横向きに挿入可能とするためのＣＩＳユニット６２、ＬＦローラ４２および排出ローラ４４の配置の他の例を概略的に示す説明図である。
【発明を実施するための形態】
【００３４】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００３５】
＜外観＞
【００３６】
画像読取装置１は、筐体２およびカバー３を備えている。
【００３７】
＜筐体＞
【００３８】
筐体２は、左側板部１１、右側板部１２、下部筐体１３および上部筐体１４を備えている。
【００３９】
左側板部１１および右側板部１２は、左右方向に間隔を空けて配置されている。
【００４０】
下部筐体１３および上部筐体１４は、左側板部１１と右側板部１２との間に配置されている。
【００４１】
下部筐体１３は、左側板部１１および右側板部１２に対して固定されている。
【００４２】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００４３】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に位置する。
【００４４】
また、上部筐体１４は、図３に示すメンテナンス位置で、下部筐体１３に対して前側に展開して、下部筐体１３の前端部上から前上方に延びる。
【００４５】
＜カバー＞
【００４６】
カバー３は、上カバー２１および前カバー２２を備えている。
【００４７】
上カバー２１の基端部は、筐体２の左側板部１１および右側板部１２の後上端部に回動可能に支持されている。これにより、上カバー２１は、図１Ｂに示される閉位置と図２に示される開位置との間で回動可能に設けられている。
【００４８】
上カバー２１は、閉位置で、下部筐体１３および上部筐体１４に上方から重なる。
【００４９】
また、上カバー２１は、開位置で、筐体２の後上端部から後上方に延びる。
【００５０】
前カバー２２は、図１Ａに示される屈曲位置と図２に示される伸張位置との間で回動可能に設けられている。
【００５１】
また、前カバー２２は、伸張位置で、上カバー２１と略同一平面上を延びる。上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイをなす。
【００５２】
下部筐体１３の後端縁３１は、下部筐体１３の前端縁３２よりも高い位置に位置している。下部筐体１３は、図３および図４に示されるように、傾斜部３３と、平坦部３４とを有している。傾斜部３３は、後端縁３１から前端縁３２と同じ高さの位置まで前下方に延びる。平坦部３４は、前端縁３２と同じ高さの位置で、傾斜部３３から前端縁３２まで延びる。
【００５３】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、後端縁７１から前端縁７２と同じ高さの位置まで、傾斜部３３と平行をなして前下方に延びる。平坦部３４は、前端縁７２と同じ高さの位置で、傾斜部７３から前端縁７２まで下部筐体１３の平坦部３４と平行をなして延びる。
【００５４】
シート導入口２０１とシート排出口２０２とシート搬送路２０３とが、上部筐体１４と下部筐体１３との間に形成されている。シート導入口２０１は、第１導入口の一例である。シート排出口２０２は、第１排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。
【００５５】
画像読取装置１では、シートＳＨよりも幅狭のカードＣＡに描かれている画像を読み取ることができる。カードＣＡは、第２媒体の一例である。
【００５６】
カードＣＡの画像の読み取りのために、図２に示されるように、第２導入口および第２排出口の一例としてのカード導入口１２１が一対の回動部４の間に形成されている。カード導入口１２１は、シート排出口２０２と一部重複して設けられている。本実施形態において、カード導入口１２１の下側の一部が、図２および図５に示すように、シート排出口２０２の右側の一部と重複している。すなわち、図１１に示すように、シートＳＨおよびカードＣＡの両方が、この重複部分ＯＬを通過可能である。カード導入口１２１は、下部筐体１３の上面１３Ｕおよび上部筐体１４の下面１４Ｂの各前端部がそれぞれ上方および下方に切り欠かれることにより、上下方向にシート排出口２０２よりも大きな幅を有している。一対の回動部４は、閉位置で第２導入口の一例であるカード導入口１２１を上下方向に横切る。
【００５７】
第２搬送路の一例としてのカード搬送路１２４が、下部筐体１３の平坦部３４と上部筐体１４の平坦部７４との間および下部筐体１３の傾斜部３３の下方に形成される。カード搬送路１２４のうち、下部筐体１３の平坦部３４と上部筐体１４の平坦部７４との間の搬送路は、シート搬送路２０３の右側の一領域である。すなわち、カード搬送路１２４は、シート搬送路２０３と少なくとも一部重複している。
【００５８】
図３および図４に示されるように、カード通過口１２２が下部筐体１３の傾斜部３３の前下端部と平坦部３４との間において、カード導入口１２１と前後方向に重なる位置に形成されている。
【００５９】
カード搬送路１２４の前端部は、カード導入口１２１に接続されている。また、カード通過口１２２は、カード搬送路１２４の途中に設けられている。下部筐体１３の平坦部３４と上部筐体１４の平坦部７４との間の空間は、カード通過口１２２により、下部筐体１３の傾斜部３３の下方の空間と連通している。したがって、カード通過口１２２を通して、カードＣＡは、下部筐体１３の平坦部３４と上部筐体１４の平坦部７４との間と下部筐体１３の傾斜部３３の下方とを行き来することができる。
【００６０】
頭出し開口１２８は、下部筐体１３の後面１３Ｒに、後方に開放して形成されている。
【００６１】
シート導入口２０１から導入されたシートＳＨは、筐体２内のシート搬送路２０３を通過して、シート排出口２０２から排出される。以下、このシートＳＨの流れに沿って、画像読取装置１が備える各構成の説明を行う。
【００６２】
画像読取装置１は、供給ローラ４１、分離片８１、ＬＦローラ４２、ＬＦピンチローラ８２、カードＬＦローラ４３、カードＬＦピンチローラ８３、第１読取部１００、第２読取部６０、排出ローラ４４、排出ピンチローラ８４、カード排出ローラ４５およびカード排出ピンチローラ８５を備えている。
【００６３】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００６４】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である
【００６５】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００６６】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９３に取り付けられている。カードＬＦピンチローラ８３の２つのピンチローラの周面は、図４に示されるように、それぞれ下部筐体１３のカードＬＦローラ４３の周面の左側および右側に微小な間隔を空けて隣接する。
【００６７】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００６８】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００６９】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００７０】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００７１】
ＬＦローラ４２およびＬＦピンチローラ８２により搬送されるシートＳＨの両面の画像は、第１読取部１００および第２読取部６０により読み取られる。
【００７２】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００７３】
カード排出ローラ４５およびカード排出ピンチローラ８５は、ＣＩＳユニット１０２およびＣＩＳユニット６２のシート搬送方向下流側に位置する。カード排出ローラ４５は、２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図４に示されるように、カード排出ローラ４５の周面に上方から当接している。カード排出ローラ４５が回転駆動されると、カード排出ピンチローラ８５は、カード排出ローラ４５に従動して回転される。
【００７４】
＜回動部＞
【００７５】
画像読取装置１は、図２および図４に示されるように、一対の回動部４を備えている。
【００７６】
一対の回動部４は、上部筐体１４の右前端部に、互いに左右方向に間隔を空けて設けられている。一対の回動部４間の間隔は、国際標準化機構（ＩＳＯ）／国際電気標準会議（ＩＥＣ）による国際規格ＩＤ−１のカードサイズの短辺の長さ（５３．９８ｍｍ）よりも大きく、そのカードサイズの長辺の長さ（８５．６０ｍｍ）よりも小さい。左側の回動部４は、左側のカード排出ピンチローラ８５の左側に配置されている。右側の回動部４は、右側のカード排出ピンチローラ８５の右側に配置されている。
【００７７】
各回動部４は、上部筐体１４の下面１４Ｂよりも上側に配置された回動軸１１１を支点に回動可能に設けられている。具体的には、各回動部４の基端部１１２は、上部筐体１４に形成された溝部１１３に嵌り込んでいる。各溝部１１３は、上部筐体１４の前面１４Ｆから後方に凹む溝状をなし、上部筐体１４の前面１４Ｆ、上面１４Ｕおよび下面１４Ｂで開放されている。回動軸１１１は、各回動部４の基端部１１２から左右両側に延出する。各回動軸１１１の先端部は、溝部１１３を形成する上部筐体１４の側面１１４を左右方向に貫通し、その側面１１４に回動可能に支持されている。
【００７８】
各回動部４は、回動軸１１１と直交する方向に延びる。各回動部４は、側面視で、回動軸１１１の位置から前方にかけて下り傾斜するように延出し、その後下側に延出し、そして後方へ下り傾斜するように延出している。また、一対の回動部４は、左右方向に延びる連結部１１５によって連結されている。これにより、一対の回動部４は、回動軸１１１を支点に、回動軸１１１から鉛直下方に垂れ下がった閉位置と、各先端部１１６が前側に持ち上がった開位置との間で回動可能に設けられている。
【００７９】
＜幅センサ＞
【００８０】
画像読取装置１は、図５に示されるように、第２導入口の一例としてのカード導入口１２１から導入されるカードＣＡの第２方向の一例としての左右方向の幅を検出する幅センサ５を備えている。
【００８１】
幅センサ５は、カード導入口１２１におけるカードＣＡの有無を検出する第１有無センサ１３１および第２有無センサ１３２を備えている。
【００８２】
第１有無センサ１３１は、第１投光部１３３、第１受光部１３４および第１導光部材１３５を備えている。
【００８３】
第１投光部１３３は、上部筐体１４に設けられている。第１投光部１３３は、カード導入口１２１の上方であって、左側の回動部４と左側のカード排出ピンチローラ８５との間の位置に配置されている。第１投光部１３３は、非図示の発光素子を備えている。第１投光部は、センサ光を下方に向けて出力する。センサ光は、たとえば、赤外線である。
【００８４】
第１受光部１３４は、上部筐体１４に設けられている。第１受光部１３４は、カード導入口１２１の上方であって、右側の回動部４と右側のカード排出ピンチローラ８５との間の位置に配置されている。第１受光部１３４は、非図示の受光素子を備えている。受光素子の受光面は、下方に向けられている。
【００８５】
第１導光部材１３５は、下部筐体１３に設けられている。第１導光部材１３５は、たとえば、プリズムからなる。第１導光部材１３５は、前側から見て下方に凸になるように湾曲している。第１導光部材１３５の左端部１３６は、上下方向に延びている。左端部１３６の上端面は、第１投光部１３３の下方でカード導入口１２１を越えた位置に配置されている。第１導光部材１３５の右端部１３７は、上下方向に延びている。右端部１３７の上端面は、第１受光部１３４の下方でカード導入口１２１を越えた位置に配置されている。第１導光部材１３５の下端部１３８は、カード排出ローラ４５の下方で左右方向に延びる。下端部１３８は、左端部１３６と接続部分１３５Ａにて連結される。また、下端部１３８は、右端部１３７と接続部分１３５Ｂにて連結される。
【００８６】
すなわち、第１有無センサ１３１は、第２導入口の一例としてのカード導入口１２１に対して第３方向の一例としての上下方向の一方側である上側に配置される。第１有無センサ１３１は、第１投光部１３３と、第１導光部材１３５と、第１受光部１３４と、を備える。第１投光部１３３は、センサ光を上下方向の他方側である下側に向けて出力する。第１導光部材１３５は、カード導入口１２１に対して下側に配置される。第１導光部材１３５は、第１投光部１３３からのセンサ光を受けて導光し、センサ光の光路を折り返してセンサ光を出力する。第１受光部１３４は、カード導入口１２１に対して上側に配置され、第１導光部材１３５により出力されたセンサ光を受光する。
【００８７】
カード導入口１２１にカードＣＡなどの固体物が存在しない状態で、第１投光部１３３から出力されるセンサ光は、カード導入口１２１を上下方向に横切って、第１導光部材１３５の左端部１３６の上端面に入射する。センサ光は、第１導光部材１３５の左端部１３６を下方に進む。センサ光は、左端部１３６と下端部１３８との接続部分１３５Ａで反射し、その光路が右側に屈曲される。センサ光は、下端部１３８を右方に進む。センサ光は、右端部１３７と下端部１３８との接続部分１３５Ｂで反射し、その光路が上側に屈曲される。センサ光は、右端部１３７を上方に進み、右端部１３７の上端面から上方に出射される。右端部１３７の上端面から出射されたセンサ光は、第１受光部１３４に受光される。第１受光部１３４がセンサ光を受光することにより、第１受光部１３４からハイレベルの信号が出力される。
【００８８】
一方、カード導入口１２１にカードＣＡが挿入された状態では、第１投光部１３３と第１導光部材１３５の左端部１３６との間および第１受光部１３４と第１導光部材１３５の右端部１３７との間に、そのカードが介在される。そのため、第１投光部１３３から出力されるセンサ光の、第１導光部材１３５への入射および第１受光部１３４による受光が妨げられる。そのため、カード導入口１２１にカードが挿入された状態では、第１受光部１３４からローレベルの信号が出力される。
【００８９】
よって、第１有無センサ１３１から出力される信号のレベルに基づいて、カード導入口１２１、とくには一対の回動部４の間におけるカードＣＡの有無を検知することができる。
【００９０】
第２有無センサ１３２は、マイクロスイッチからなる。第２有無センサ１３２は、左側の回動部４の左側に配置されている。第２有無センサ１３２のアクチュエータ１３９は、下方に延び、カード導入口１２１内に突出している。すなわち、第２有無センサ１３２は、第２導入口の一例としてのカード導入口１２１に対して第３方向の一方側の一例としての上側であって、第１有無センサ１３１に対して第２方向の一方側の一例としての左側に配置され、カード導入口１２１に突出するアクチュエータ１３９を有するマイクロスイッチである。アクチュエータ１３９とシート排出口２０２の右端２０５との間隔は、国際規格ＩＤ−１のカードサイズの長辺の長さ（８５．６０ｍｍ）よりも短い。
【００９１】
アクチュエータ１３９が通常時の位置から変位すると、つまりアクチュエータ１３９が下方に延びる位置からその下端が後上方に持ち上がった位置に移動すると、第２有無センサ１３２から出力される信号のレベルがローレベルからハイレベルに変化する。
【００９２】
たとえば、一対の回動部４が使用者の手指等で開位置に持ち上げられて、カードＣＡの長辺を先頭として、カードＣＡがカード導入口１２１内に挿入されると、カードＣＡによってアクチュエータ１３９が後方に押される。これにより、アクチュエータ１３９が下方に延びる位置からその下端が後上方に持ち上がった位置に変位し、第２有無センサ１３２から出力される信号のレベルがローレベルからハイレベルに変化する。
【００９３】
よって、第２有無センサ１３２から出力される信号のレベルに基づいて、カード導入口１２１におけるアクチュエータ１３９の位置でのカードの有無を検知することができる。
【００９４】
＜電気的構成＞
【００９５】
画像読取装置１は、図６に示されるように、幅センサ５の検出結果に基づいて、搬送ローラの一例としてのカードＬＦローラ４３およびカード排出ローラ４５の駆動を制御する制御部１４１を備えている。
【００９６】
具体的には、制御部１４１は、マイクロコンピュータを含む。第１有無センサ１３１および第２有無センサ１３２から出力される信号は、制御部１４１に入力される。制御部１４１は、第１有無センサ１３１および第２有無センサ１３２の出力信号に基づいて、カードＬＦローラ４３およびカード排出ローラ４５の駆動力を発生するモータ１４２の駆動を制御する。
【００９７】
＜制御内容＞
【００９８】
画像読取装置１の電源がオンされている間、制御部１４１により、図７に示される処理が繰り返される。
【００９９】
図７に示される処理では、まず、カード導入口１２１にカードが挿入されたか否かが判断される（ステップＳ１）。カード導入口１２１にカードＣＡが挿入されたか否かは、第１有無センサ１３１の出力信号のレベルに基づいて判断される。すなわち、第１有無センサ１３１の出力信号のレベルがローレベルであれば、カード導入口１２１にカードＣＡが挿入されたと判断される。一方、第１有無センサ１３１の出力信号のレベルがハイレベルであれば、カード導入口１２１にカードが挿入されていないと判断される。
【０１００】
カード導入口１２１にカードが挿入されていないときには（ステップＳ１のＮＯ）、図７に示される処理が終了される。
【０１０１】
カード導入口１２１にカードＣＡが挿入されると（ステップＳ１のＹＥＳ）、そのカードＣＡの挿入の向きが横向き、つまりカードの長辺を先頭としてカードＣＡが挿入されているか否かが判断される（ステップＳ２）。カードＣＡの挿入の向きが横向きであるか否かは、第２有無センサ１３２の出力信号のレベルに基づいて判断される。すなわち、第２有無センサ１３２の出力信号のレベルがローレベルであれば、カードＣＡの挿入の向きは、横向きではないと判断される。一方、第２有無センサ１３２の出力信号のレベルがローレベルであれば、カードＣＡの挿入の向きは、横向きであると判断される。
【０１０２】
カードＣＡの挿入の向きが横向きでない場合（ステップＳ２のＮＯ）、カードＣＡの取り込みが許可される（ステップＳ３）。これに応答して、モータ１４２が駆動される。そして、モータ１４２の駆動力がカードＬＦローラ４３およびカード排出ローラ４５に伝達され、カードＬＦローラ４３およびカード排出ローラ４５が右側から見て時計回りに回転される。これにより、カード導入口１２１に挿入されたカードＣＡが筐体２内に導入される。
【０１０３】
一方、カードＣＡの挿入の向きが横向きである場合には（ステップＳ２のＹＥＳ）、カードＣＡの取り込みが規制される（ステップＳ４）。この場合、モータ１４２の非駆動状態が維持されるか、モータ１４２が駆動され、カード排出ローラ４５が右から見て反時計回りに回転維持される。そのため、カード導入口１２１に挿入されたカードＣＡの、筐体２内への導入が規制される。すなわち、モータ１４２の非駆動状態が維持される場合、カードＣＡがカード排出ローラ４５とカード排出ピンチローラ８５との間への挿入が規制される。また、カード排出ローラ４５が右から見て反時計回りに回転維持される場合は、カードＣＡがカード排出ローラ４５とカード排出ピンチローラ８５との間へ挿入されようとしても、カード排出ローラ４５がカードＣＡを前方へ押し出すため、カードＣＡが排出される。
【０１０４】
＜シート画像の読み取り＞
【０１０５】
画像読取装置１におけるシートＳＨの画像の読み取りの際には、図２および図４に示されるように、上カバー２１が開位置に配置されるとともに、前カバー２２が伸張位置に配置される。そして、開位置の上カバー２１および伸張位置の前カバー２２がなすトレイ上に、シートＳＨが載置される。
【０１０６】
トレイ上に載置されるシートＳＨは、その先端部が供給ローラ４１および分離片８１に当接するまで、シート導入口２０１内に差し込まれる。
【０１０７】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２，８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【０１０８】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３に到達すると、ＬＦローラ４２およびカードＬＦローラ４３により、シートＳＨに搬送力が付与される。
【０１０９】
ＬＦローラ４２とＬＦピンチローラ８２との間およびカードＬＦローラ４３，カードＬＦピンチローラ８３との間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像の読み取りが達成される。
【０１１０】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【０１１１】
排出ローラ４４および排出ピンチローラ８４およびカード排出ローラ４５およびカード排出ピンチローラ８５間を搬送されるシートＳＨは、シート排出口２０２を通過して、筐体２外に排出される。シートＳＨがシート排出口２０２から排出される前は、一対の回動部４が閉位置に位置し、各回動部４がシート排出口２０２を上下方向に横切っている。シート排出口２０２から排出されるシートＳＨの先端により、一対の回動部４が後側から押され、一対の回動部４が閉位置から開位置に持ち上げられる。一対の回動部４は、シートＳＨの排出が完了するまで、図４の仮想線で示すように、開位置に持ち上げられた状態で保持される。シートＳＨがシート排出口２０２から筐体２該に排出されると、一対の回動部４は自重により、図４の実線で示すように、閉位置に戻る。
【０１１２】
＜カード画像の読み取り＞
【０１１３】
カードＣＡの画像の読み取りの際には、一対の回動部４が閉位置に位置した状態で、カードＣＡの短辺を先頭として、カードＣＡが一対の回動部４の間を通してカード導入口１２１内に挿入される。幅センサ５によりカードＣＡの幅が検知され、カードが横向きに挿入されていないと判断されると、カードＣＡの搬送が開始される。幅センサ５によりカードＣＡの幅が検知され、カードが横向きに挿入されていると判断されると、カードＣＡの取り込みが規制される。
【０１１４】
カード導入口１２１内にカードＣＡが挿入され、カードＣＡの搬送が開始されると、カード排出ローラ４５が右側から見て時計回りに回転される。カード排出ピンチローラ８５は、カード排出ローラ４５の回転に伴って、右側から見て反時計回りに回転する。カード排出ローラ４５からカードＣＡに搬送力が付与される。
【０１１５】
その後、カードＣＡは、第１読取部１００と第２読取部６０との間を通過する。
【０１１６】
カードＬＦローラ４３は、右側から見て時計回りに回転される。カードＬＦピンチローラ８３は、カードＬＦローラ４３の回転に伴って、右側から見て反時計回りに回転する。第１読取部１００と第２読取部６０との間を通過したシートＳＨの先端部がカードＬＦローラ４３の周面とカードＬＦピンチローラ８３の周面との間に到達すると、カードＬＦローラ４３からカードＣＡに搬送力が付与される。
【０１１７】
カードＣＡがカード通過口１２２を通過し、カードＣＡの先端部の反対側である後端部がカードＬＦローラ４３の周面とカードＬＦピンチローラ８３の周面との間に挟持される位置まで、カードＣＡの搬送が進むと、カードＬＦローラ４３およびカード排出ローラ４５の回転が停止される。カードＬＦローラ４３およびカード排出ローラ４５の回転が停止されると、カードＣＡは頭出し開口１２８からその先端部が頭出しされた状態で一時停止される。
【０１１８】
その後、カードＬＦローラ４３およびカード排出ローラ４５が右側から見て反時計回りに回転される。カードＬＦピンチローラ８３およびカード排出ピンチローラ８５は、右側から見て時計回りに回転する。これにより、カードＣＡは、その搬送方向反転され、後側から前側に向かう方向に搬送される。
【０１１９】
カードＣＡは、第１読取部１００および第２読取部６０の間を通過する。このとき、カードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像が読み取られる。
【０１２０】
第１読取部１００および第２読取部６０の間を通過したカードＣＡの先端部がカード排出ローラ４５の周面とカード排出ピンチローラ８５の周面との当接部分に到達すると、カード排出ローラ４５からカードＣＡに搬送力が付与される。そして、カード排出ローラ４５とカード排出ピンチローラ８５との間を搬送されるカードＣＡは、カード導入口１２１を通過して、筐体２外に排出される。
【０１２１】
このように、カード導入口１２１から導入されたカードＣＡは、筐体２内をスイッチバック搬送され、一対の回動部４の間およびカード導入口１２１から排出される。
【０１２２】
＜作用効果＞
【０１２３】
カードＣＡがカード導入口１２１から導入されると、幅センサ５により、カードＣＡの左右方向の幅が検出される。そして、その幅センサ５の検出結果に基づいて、制御部１４１により、カードＬＦローラ４３およびカード排出ローラ４５の駆動が制御される。
【０１２４】
カードＣＡがカード導入口１２１に横向きに挿入され、幅センサ５により、カードＣＡの長辺の幅が検出されると、カードＣＡがその向きを間違えてカード導入口１２１から導入されたと判断される。そして、カードＬＦローラ４３およびカード排出ローラ４５がカードＣＡを前後方向に搬送する方向に駆動されることが規制される。
【０１２５】
よって、カードＣＡがその向きを間違えてカード導入口１２１から導入されたときに、カードＣＡの搬送を抑制することができる。
【０１２６】
幅センサ５は、カード導入口１２１におけるカードＣＡの有無を検出する第１有無センサ１３１および第２有無センサ１３２を備えている。
【０１２７】
第１有無センサ１３１は、第１投光部１３３、第１受光部１３４および第１導光部材１３５を含む。第１投光部１３３は、カード導入口１２１の上側に配置され、センサ光を下方に向けて出力する。第１導光部材１３５は、カード導入口１２１の下側に配置され、第１投光部１３３からのセンサ光を受けて導光し、センサ光の光路を折り返してセンサ光を上方へ出力する。第１受光部１３４は、カード導入口１２１の上側に配置され、第１導光部材１３５により出力されたセンサ光を受光する。
【０１２８】
この構成によれば、第１投光部１３３と第１導光部材１３５との間の光路または第１導光部材１３５と第１受光部１３４との間の光路がカードによって遮られると、その遮られた光路の位置にカードＣＡが存在していると判断することができる。
【０１２９】
第２有無センサ１３２は、マイクロスイッチである。第２有無センサ１３２は、カード導入口１２１に対して上側であって、第１有無センサ１３１に対して左側に配置され、カード導入口１２１に突出するアクチュエータ１３９を有している。
【０１３０】
この構成によれば、カードがアクチュエータ１３９に押されると、そのアクチュエータ１３９の位置にカードＣＡが存在していると判断することができる。
【０１３１】
また、画像読取装置１は、一対の回動部４を備えている。回動部４は、カード導入口１２１の上側に配置された回動軸１１１を支点に回動可能に設けられている。一対の回動部４は、左右方向に間隔を空けて配置され、それぞれカード導入口１２１を上下方向に横切る。
【０１３２】
一対の回動部４間の間隔は、国際規格ＩＤ−１のカードサイズの短辺の長さよりも大きく、そのカードサイズの長辺の長さよりも小さい。そのため、一対の回動部４が閉位置に位置する状態でカードＣＡが横向きで挿入されるようとすると、カードＣＡの長辺が一対の回動部４に当接し得る。したがって、カードＣＡがカード導入口１２１に横向きで導入されることを抑制できる。
【０１３３】
＜第２実施形態に係る電気的構成＞
【０１３４】
画像読取装置１は、図６に示される構成に代えて、図８に示される電気的構成を有していてもよい。
【０１３５】
図８に示される電気的構成では、画像読取装置１は、マイクロコンピュータを含む構成の制御部１４１と、外部に報知する報知部１５１とを備えている。
【０１３６】
第１有無センサ１３１および第２有無センサ１３２から出力される信号は、制御部１４１に入力される。制御部１４１は、第１有無センサ１３１および第２有無センサ１３２の出力信号に基づいて、報知部１５１の駆動を制御する。
【０１３７】
報知部１５１は、たとえば、電子音を出力する非図示の発振回路およびスピーカなどを備えている。
【０１３８】
＜第２実施形態に係る制御内容＞
【０１３９】
図８に示される電気的構成が採用された画像読取装置１では、その電源がオンされている間、制御部１４１により、図９に示される処理が繰り返される。
【０１４０】
図９に示される処理では、まず、カード導入口１２１にカードＣＡが挿入されたか否かが繰り返し判断される（ステップＳ１１）。カード導入口１２１にカードＣＡが挿入されたか否かは、第１有無センサ１３１の出力信号のレベルに基づいて判断される。すなわち、第１有無センサ１３１の出力信号のレベルがローレベルであれば、カード導入口１２１にカードＣＡが挿入されたと判断される。一方、第１有無センサ１３１の出力信号のレベルがハイレベルであれば、カード導入口１２１にカードＣＡが挿入されていないと判断される。
【０１４１】
カード導入口１２１にカードが挿入されていないときには（ステップＳ１１のＮＯ）、図９に示される処理が終了される。
【０１４２】
カード導入口１２１にカードＣＡが挿入されると（ステップＳ１１のＹＥＳ）、そのカードＣＡの挿入の向きが横向き、つまりカードの長辺を先頭としてカードＣＡが挿入されているか否かが判断される（ステップＳ１２）。カードＣＡの挿入の向きが横向きであるか否かは、第２有無センサ１３２の出力信号のレベルに基づいて判断される。すなわち、第２有無センサ１３２の出力信号のレベルがローレベルであれば、カードＣＡの挿入の向きは、横向きではないと判断される。一方、第２有無センサ１３２の出力信号のレベルがローレベルであれば、カードＣＡの挿入の向きは、横向きであると判断される。
【０１４３】
カードＣＡの挿入の向きが横向きである場合には（ステップＳ１２のＹＥＳ）、報知部１５１が制御されて、電子音が出力されることにより、外部への報知が行われる（ステップＳ１３）。
【０１４４】
一方、カードＣＡの挿入の向きが横向きでない場合（ステップＳ１２のＮＯ）、報知部１５１による外部への報知は行われず、モータ１４２が駆動される。そして、モータ１４２の駆動力がカードＬＦローラ４３およびカード排出ローラ４５に伝達され、カードＬＦローラ４３およびカード排出ローラ４５が右側から見て時計回りに回転される。これにより、カード導入口１２１に挿入されたカードＣＡが筐体２内に導入される。
【０１４５】
＜第２実施形態の作用効果＞
【０１４６】
以上のように、カードＣＡがカード導入口１２１から導入されると、幅センサ５により、カードＣＡの左右方向の幅が検出される。そして、その幅センサ５の検出結果に基づいて、制御部１４１により、報知部１５１が制御される。具体的には、幅センサ５により、カードＣＡの向きが横向きであることが検出されると、カードＣＡがその向きを間違えてカード導入口１２１から導入されたと判断されて、報知部１５１が制御されて、報知部１５１による外部への報知が行われる。この報知により、使用者に、カードＣＡがその向きを間違えてカード導入口１２１から導入されたことを認識させることが出来得る。
【０１４７】
よって、カードＣＡがその向きを間違えてカード導入口１２１から導入されたときに、カードＣＡの搬送を抑制することができる。
【０１４８】
＜第２有無センサの他の構成＞
【０１４９】
図５に示される構成では、マイクロスイッチからなる第２有無センサ１３２が備えられている。
【０１５０】
図５に示される構成に代えて、図１０に示される構成が採用されてもよい。
【０１５１】
図１０に示される構成では、幅センサ５は、カード導入口１２１におけるカードＣＡの有無を検出する第１有無センサ１３１および第２有無センサ１６１を含む。
【０１５２】
第２有無センサ１６１は、第２投光部１６２、第２受光部１６３および第２導光部材１６４を備えている。
【０１５３】
第２投光部１６２は、上部筐体１４に設けられている。第２投光部１６２は、カード導入口１２１の上方であって、左側の回動部４よりも左側の位置に配置されている。第２投光部１６２は、非図示の発光素子を備えている。第２投光部１６２は、センサ光を下方に向けて出力する。センサ光は、たとえば、赤外線である。
【０１５４】
第２受光部１６３は、上部筐体１４に設けられている。第２受光部１６３は、カード導入口１２１の上方であって、右側の回動部４よりも右側の位置に配置されている。第２投光部１６２と第２受光部１６３との間隔は、国際規格ＩＤ−１のカードサイズの長辺の長さ（８５．６０ｍｍ）よりも短い。第２受光部１６３は、非図示の受光素子を備えている。受光素子の受光面は、下方に向けられている。
【０１５５】
第２導光部材１６４は、下部筐体１３に設けられている。第２導光部材１６４は、たとえば、プリズムからなる。第２導光部材１６４は、前側から見て下方に凸になるように湾曲している。第２導光部材１６４の左端部１６５は、上下方向に延びている。左端部１６５の上端面は、第２投光部１６２の下方でカード導入口１２１を越えた位置に配置されている。第２導光部材１６４の右端部１６６は、上下方向に延びている。右端部１６６の上端面は、第２受光部１６３の下方でカード導入口１２１を越えた位置に配置されている。第２導光部材１６４の下端部１６７は、カード排出ローラ４５の下方で左右方向に延びる。第２導光部材１６４の下端部１６７は、左端部１６５と接続部分１６４Ａにおいて連結している。第２導光部材１６４の下端部１６７は、右端部１６６と接続部分１６４Ｂにおいて連結している。
【０１５６】
すなわち、第２有無センサ１６１は、第２投光部１６２と、第２導光部材１６４と、第２受光部１６３とを備える。第２投光部１６２は、第２導入口の一例としてのカード導入口１２１に対して第３方向の一例としての上下方向の一方側である上側であって、第１有無センサ１３１に対して第２方向の一例としての左右方向の一方側である左側に配置される。第２投光部１６２は、センサ光を上下方向の他方側である下側に向けて出力する。第２導光部材１６４は、カード導入口１２１に対して下側に配置される。第２導光部材１６４は、第２投光部１６２からのセンサ光を受けて導光し、センサ光の光路を折り返してセンサ光を上側に出力する。第２受光部１６３は、カード導入口１２１に対して上側であって、第１有無センサ１３１に対して左右方向の他方側である右側に配置される。第２受光部１６３は、第２導光部材１６４から出力されたセンサ光を受光する。
【０１５７】
カード導入口１２１にカードＣＡなどの固体物が存在しない状態で、第２投光部１６２から出力されるセンサ光は、カード導入口１２１を上下方向に横切って、第２導光部材１６４の左端部１６５の上端面に入射する。センサ光は、第２導光部材１６４の左端部１６５を下方に進む。センサ光は、左端部１６５と下端部１６７との接続部分１６４Ａで反射し、その光路が右側に屈曲される。センサ光は、下端部１６７を右方に進む。センサ光は、右端部１６６と下端部１６７との接続部分１６４Ｂで反射し、その光路が上側に屈曲される。センサ光は、右端部１６６を上方に進み、右端部１６６の上端面から上方に出射される。右端部１６６の上端面から出射されたセンサ光は、第２受光部１６３に受光される。第２受光部１６３がセンサ光を受光することにより、第２受光部１６３からハイレベルの信号が出力される。
【０１５８】
たとえば、一対の回動部４が使用者の手指等で開位置に持ち上げられて、カードＣＡの長辺を先頭としてカードＣＡがカード導入口１２１内に挿入された状態では、第２投光部１６２と第２導光部材１６４の左端部１６５との間および第２受光部１６３と第２導光部材１６４の右端部１６６との間の両方または一方に、カードＣＡが介在される。そのため、第２投光部１６２から出力されるセンサ光の、第２受光部１６３による受光が妨げられる。そのため、カード導入口１２１にカードが挿入された状態では、第２受光部１６３からローレベルの信号が出力される。
【０１５９】
よって、第２有無センサ１６１から出力される信号のレベルに基づいて、カード導入口１２１における一対の回動部４の左右方向の両側の位置でのカードの有無を検知することができる。
【０１６０】
＜変形例＞
【０１６１】
以上、本発明の実施の形態について説明したが、本発明は、さらに他の形態で実施することもできる。
【０１６２】
また、たとえば、第１有無センサ１３１は、第１投光部１３３および第１受光部１３４がカード導入口１２１の上側に配置され、第１導光部材１３５がカード導入口１２１の下側に配置される構成であるとした。しかしながら、第１有無センサ１３１は、第１投光部１３３および第１受光部１３４がカード導入口１２１の下側に配置され、第１導光部材１３５がカード導入口１２１の上側に配置される構成であってもよい。
【０１６３】
カードＬＦピンチローラ８３は、２つのピンチローラを備え、カードＬＦピンチローラ８３の２つのピンチローラの周面は、それぞれ下部筐体１３のカードＬＦローラ４３の周面に左側および右側に微小な間隔を空けて隣接していた。しかし、これに限らず、たとえば、カードＬＦピンチローラ８３は、１つのピンチローラからなり、ピンチローラの周面が、下部筐体１３のカードＬＦローラ４３の周面に上方から当接していてもよい。
【０１６４】
報知部１５１は、電子音を出力する非図示の発振回路およびスピーカなどを備え、音により外部に報知する報知部であった。しかし、これに限らず、たとえば、報知部１５１は、タッチパネル等の表示部を備え、表示部にエラー等を表示することで、外部に報知する報知部であってもよい。
【０１６５】
前述の実施形態では、カード導入口１２１の下側の一部が、シート排出口２０２の右側の一部と重複していた。しかし、これに限らず、たとえば、シート排出口２０２の右側の一部がカード導入口１２１であってもよい。すなわち、カード導入口１２１の全領域がシート排出口２０２に右側において含まれていてもよい。カード搬送路１２４のうち、下部筐体１３の平坦部３４と上部筐体１４の平坦部７４との間の搬送路は、シート搬送路２０３の右側の一領域であった。しかし、これに限らず、たとえば、カード搬送路１２４のうち、下部筐体１３の平坦部３４と上部筐体１４の平坦部７４との間の搬送路の下側一部が、シート搬送路２０３の右側の一部と重複していてもよい。
【０１６６】
たとえば、前述の構成において、図１２に示されるように、ＣＩＳユニット６２の左右方向の長さをＷ１とする。長さＷ１は、たとえば、２１５ｍｍである。ＣＩＳユニット６２の右端と右側の排出ローラ４４の右端との間隔をＯＤ１とし、ＬＦローラ４２の左側のピンチローラの左端と右側のピンチローラの右端との間隔をＲＤ１とし、排出ローラ４４の左側のピンチローラの左端と右側のピンチローラの右端との間隔をＲＤ２とする。間隔ＯＤ１は、たとえば、７５ｍｍである。間隔ＲＤ１は、たとえば、７５ｍｍである。間隔ＲＤ２は、たとえば、６５ｍｍである。そして、カード導入口１２１の左右方向の幅は、間隔ＯＤ１よりも小さく、国際規格ＩＤ−１のカードサイズの長辺の長さ（８５．６０ｍｍ）よりも短い。そのため、カードＣＡを横向きでカード導入口１２１に挿入することが困難である。したがって、このような構成とすることで、カードＣＡが横向きで挿入されることを抑制できる。
【０１６７】
カードＣＡを横向きでカード導入口１２１に挿入可能とするために、図１３に示されるように、ＣＩＳユニット６２の右端と右側の排出ローラ４４の右端との間隔ＯＤ２を間隔ＯＤ１よりも広げて、国際規格ＩＤ−１のカードサイズの長辺の長さよりも大きくしてもよい。間隔ＯＤ２は、たとえば、８６ｍｍである。この場合、ＣＩＳユニット６２の左右方向の長さＷ２は、間隔ＲＤ２と間隔ＯＤ２に２を乗じた値との和に一致し、図１２に示される長さＷ１よりも大きくなる。長さＷ２は、たとえば、２４７ｍｍである。
【０１６８】
図１３に示される構成が採用されることにより、カードＣＡを横向きでカード導入口１２１に挿入して、カードＣＡの画像を読み取らせることができる。また、カードＣＡが横向きで搬送されるので、カードＣＡのスイッチバック時に、カードＣＡが下部筐体１３の頭出し開口１２８から突出して頭出されるように設計する必要性が低減される。その結果、画像読取装置１の専有スペースの前後方向の幅を小さくすることができる。また、頭出し開口１２８からカードＣＡが突出して頭出され、開口１２８の後ろに配置された物体等にぶつかり、カードＣＡの搬送異常が発生する可能性を低減できる。
【０１６９】
また、カードＣＡを横向きでカード導入口１２１に挿入可能とするために、図１４に示される構成が採用されてもよい。すなわち、ＬＦローラ４２の左側のピンチローラの左端と右側のピンチローラの右端との間隔を間隔ＲＤ１よりも小さい間隔ＲＤ３とし、排出ローラ４４の左側のピンチローラの左端と右側のピンチローラの右端との間隔を間隔ＲＤ２よりも小さい間隔ＲＤ３とすることにより、ＣＩＳユニット６２の左右方向の長さを長さＷ１に保持しつつ、ＣＩＳユニット６２の右端と右側の排出ローラ４４の右端との間隔が間隔ＯＤ２とされてもよい。
【０１７０】
この図１４に示される構成では、画像読取装置１の左右方向の大型化を抑制することができる。また、図１３に示される構成と同様に、カードＣＡのスイッチバック時に、カードＣＡが下部筐体１３の頭出し開口１２８から突出して頭出しするように設計する必要性を低減できる。その結果、画像読取装置１の専有スペースの前後方向の幅を小さくすることができる。また、頭出し開口１２８からカードＣＡが突出して頭出され、頭出し開口１２８の後ろに配置された物体等にぶつかり、カードＣＡの搬送異常が発生する可能性を低減できる。
【０１７１】
その他、前述の構成には、特許請求の範囲に記載された事項の範囲で種々の設計変更を施すことが可能である。
【符号の説明】
【０１７２】
１      画像読取装置
２      筐体
４      回動部
５      幅センサ
４２    ＬＦローラ
４３    カードＬＦローラ
４４    排出ローラ
４５    カード排出ローラ
６２    ＣＩＳユニット
１０２  ＣＩＳユニット
１１１  回動軸
１２１  カード導入口
１２２  カード通過口
１２４  カード搬送路
１３１  第１有無センサ
１３２  第２有無センサ
１３３  第１投光部
１３４  第１受光部
１３５  第１導光部材
１３９  アクチュエータ
１４１  制御部
１５１  報知部
１６１  第２有無センサ
１６２  第２投光部
１６３  第２受光部
１６４  第２導光部材
２０１  シート導入口
２０２  シート排出口
２０３  シート搬送路
ＣＡ    カード
ＳＨ    シート
【図１Ａ】
2014082619.tif 000003
【図１Ｂ】
2014082619.tif 000004
【図２】
2014082619.tif 000005
【図３】
2014082619.tif 000006
【図４】
2014082619.tif 000007
【図５】
2014082619.tif 000008
【図６】
2014082619.tif 000009
【図７】
2014082619.tif 000010
【図８】
2014082619.tif 000011
【図９】
2014082619.tif 000012
【図１０】
2014082619.tif 000013
【図１１】
2014082619.tif 000014
【図１２】
2014082619.tif 000015
【図１３】
2014082619.tif 000016
【図１４】
2014082619.tif 000017